(57)【特許請求の範囲】
【請求項１】
被取付面に取り付けられる器具本体の内部に第１の光源を収容し且つ前方に光を照射する主照明部と、
前記器具本体の外周部に設けられ且つ第２の光源を有する副照明部と
を備え、
前記副照明部は、前記第２の光源から発せられる光の経路上に配置された透光性のプリズムレンズを有しており、これにより前記副照明部の光軸が、当該副照明部から側方に離れるほど後方となる位置に向かうように構成されたものであり、
前記プリズムレンズの入射面は凹曲面状に形成されている
ことを特徴とする、照明装置。
【請求項２】
前記器具本体の外周部に設けられた前記副照明部が、この外周部の全周のうちその一部に設けられている、請求項１に記載の照明装置。
【請求項３】
前記副照明部が、前記器具本体の外周部に沿って移動可能に構成されている、請求項１又は請求項２に記載の照明装置。
【請求項４】
前記副照明部が、前記器具本体とは別部材となっている、請求項１乃至請求項３のいずれか一項に記載の照明装置。
【請求項５】
前記副照明部は、前記被取付面に穿設された器具本体挿通用の孔の開口周縁を覆うことで器具本体挿通用の孔の開口径を小さくするアダプタプレートに、前記第２の光源が取り付けられることで構成されている、請求項４記載の照明装置。
【請求項６】
前記第２の光源がＬＥＤ素子である、請求項１乃至請求項５のいずれか一項に記載の照明装置。
【請求項７】
前記第１の光源は前記器具本体の内部に設けられたソケットに接続されており、
このソケットは、前記第１の光源に給電をする第１の給電部と、前記第２の光源に給電をする第２の給電部とを有し、
前記第２の光源は、前記器具本体の内側面に沿うフレキシブル基板を介して前記第２の給電部と接続されている、請求項１乃至請求項６のいずれか一項に記載の照明装置。
【発明の詳細な説明】
【技術分野】
【０００１】
本発明は、照明装置に関するものである。
【背景技術】
【０００２】
従来から、照明装置として、壁面や天井等の被取付面に取り付けられるものが知られている（例えば特許文献１参照）。この種の照明装置は、器具本体と、この器具本体の内部に収容された光源とを備えている。この光源から発せられた光は、器具本体の内側面間で反射を繰り返すことで器具本体の開口側の一方向に集光し、一定の照射範囲を形成する。この一定の照射範囲の光により、この照明装置は照明を行なうようになっている。
【先行技術文献】
【特許文献】
【０００３】
【特許文献１】特開２００７−９５３９４号公報
【発明の概要】
【発明が解決しようとする課題】
【０００４】
ところで器具本体の内部にのみ光源を有する上記照明装置によれば、その照射範囲が一方向にのみ限られてしまうため、照射できない領域又は光量が少ない領域が発生してしまう。このため、その空間に居る人が薄暗く感じてしまうという問題があった。
【０００５】
この問題に対し、光源の光量を大きくすることで、その空間の明るさ感を向上させることが考えられる。しかし、単に光源の光量を多くするだけであれば、照射範囲は拡大しないため、省エネルギー化の要請に反するどころか、空間の明るさ感を向上させることすらそれほど期待できるものではない。
【０００６】
本発明は、上記事情に鑑みてなされたものであり、その目的とするところは、照射範囲を広げることで、空間の明るさ感を向上させることができる照明装置を提供することにある。
【課題を解決するための手段】
【０００７】
上記課題を解決するために本発明の照明装置は以下の構成とする。
【０００８】
すなわち第１の発明は、被取付面に取り付けられる器具本体の内部に第１の光源を収容し且つ前方に光を照射する主照明部と、前記器具本体の外周部に設けられ且つ第２の光源を有する副照明部とを備え、前記副照明部は、前記第２の光源から発せられる光の経路上に配置された透光性のプリズムレンズを有しており、これにより前記副照明部の光軸が、当該副照明部から側方に離れるほど後方となる位置に向かうように構成されたものであり、前記プリズムレンズの入射面は凹曲面状に形成されていることを特徴とするものである。
【００１２】
第２の発明は、前記器具本体の外周部に設けられた前記副照明部が、この外周部の全周のうちその一部に設けられていることを特徴とする。
【００１３】
第３の発明は、前記副照明部が、前記器具本体の外周部に沿って移動可能に構成されていることを特徴とする。
【００１４】
第４の発明は、前記副照明部が、前記器具本体とは別部材となっていることを特徴とする。
【００１５】
第５の発明は、前記副照明部は、前記被取付面に穿設された器具本体挿通用の孔の開口周縁を覆うことで器具本体挿通用の孔の開口径を小さくするアダプタプレートに、前記第２の光源が取り付けられることで構成されていることを特徴とする。
【００１６】
第６の発明は、前記第２の光源がＬＥＤ素子であることを特徴とする。
【００１７】
第７の発明は、前記第１の光源は前記器具本体の内部に設けられたソケットに接続されており、このソケットは、前記第１の光源に給電をする第１の給電部と、前記第２の光源に給電をする第２の給電部とを有し、前記第２の光源は、前記器具本体の内側面に沿うフレキシブル基板を介して前記第２の給電部と接続されていることを特徴とする。
【発明の効果】
【００１８】
本願発明の照明装置によれば、照射範囲を広げることができて、空間の明るさ感を向上させることができるようになる。
【図面の簡単な説明】
【００１９】
【図１】本発明の一例である第１の実施形態の照明装置を天井に取り付けた状態の一部破断図である。
【図２】同上の副照明部の要部断面図である。
【図３】同上の枠部材の斜視図である。
【図４】（ａ）は同上のソケットの斜視図であり（ｂ）は同上のフレキシブル基板の斜視図である。
【図５】第１の実施形態の変形例の側断面図である。
【図６】本発明の一例である第２の実施形態の照明装置を天井に取り付けた状態の側面図である。
【図７】（ａ）は同上の副照明部の要部断面図であり、（ｂ）は同上の枠部材の斜め前方から見た斜視図である。
【図８】本発明の一例である第３の実施形態の照明装置を説明するための図であり（ａ）は要部側断面図であり、（ｂ）はアダプタプレートの斜め前方から見た斜視図である。
【図９】本発明の一例である第４の実施形態の照明装置を説明するための図であり（ａ）はプリズムレンズを省略した分解斜視図であり（ｂ）は要部側断面図である。
【図１０】本発明の他例を示す側面図である。
【図１１】本発明のさらに他例を示す側面図である。
【発明を実施するための形態】
【００２０】
以下、本発明の実施形態について添付図面に基づいて説明する。
【００２１】
第１の実施形態の照明装置Ａは、図１に示されるように、天井９１に埋め込まれた状態で設置されるダウンライトである。この照明装置Ａは、主照明部１と副照明部４とを有しており、主照明部１の照射方向（光軸７０）が天井９１に対して略鉛直下方に向くようにして、天井９１に取り付けられる。以下、説明の便宜上、主照明部１の照射方向を前方とし、天井９１に取り付けられた設置状態に基づいて説明する。
【００２２】
主照明部１は、照明装置Ａによる主照明を行なう部分である。主照明部１は、天井９１に穿設された挿通孔９２に挿通されて天井９１に埋設・固定される器具本体１１と、この器具本体１１内に収容された第１の光源１２とを備えており、その光軸７０が略鉛直下方に向いている。
【００２３】
器具本体１１は、第１の光源１２から発せられた光を前方の照射開口１３に向けて反射・集光させる。器具本体１１は、前方が開口した有底円筒形状をしており、その開口が照射開口１３となっている。照射開口１３の開口縁には、外方（側方）に向けて突出した鍔部１４が設けられている。鍔部１４は、照明装置Ａを設置した状態で、天井９１の挿通孔９２の開口周縁で且つ天井９１の下方に位置するようになっている。
【００２４】
器具本体１１の底面には天板１５が固定されている。器具本体１１の底面には貫通孔（図示せず）が設けられており、この貫通孔に挿通されたボルト（図示せず）とナット（図示せず）とによりこの天板１５が固定される。天板１５には、主照明部１の第１の光源１２と副照明部４の第２の光源４１とに電力を供給するそれぞれの電源部１６，１７が設けられている。この各電源部１６，１７は、第１の光源１２を接続するためのソケット２に電気的に接続されている。このソケット２は、図１に示されるように、器具本体１１の側面に斜め前方に臨むように固定されている。なお、このソケット２についての構成は後に詳述する。
【００２５】
ソケット２には第１の光源１２が接続されている。第１の光源１２としては、白熱灯や蛍光灯，ＬＥＤ（Light Emitting Diode）や有機ＥＬなどの発光素子が好適に用いられる。
【００２６】
副照明部４は、その光軸７１が側方に行く程後方となる位置に向かっており、天井９１を照らすようになっている。副照明部４は、図１，２に示されるように、第２の光源４１と、この第２の光源４１から発せられる光の経路上に配置された透光性のプリズムレンズ４２と、これらを固定する枠部材４３とを有している。
【００２７】
枠部材４３は、器具本体１１とは別部材で構成されており、器具本体１１の外周部に着脱自在に取り付けられる。枠部材４３は、図３に示されるように、平面視円環状をしており、器具本体１１の鍔部１４に着脱自在に取り付けられる。枠部材４３は、図２に示されるように、断面略Ｌ字形状をしており、天井９１に対向する面（以下、被取付面対向面４４という）と、被取付面対向面４４と一体となった光源取付片４５とからなる。被取付面対向面４４は、その内縁部に鍔部１４の先端が入り込む取付段部４６を有している。一方、被取付面対向面４４には枢軸４８を介して取付具４７が取り付けられており、この取付具４７は被取付面対向面４４上を回転自在となっている。取付段部４６に嵌め込まれた鍔部１４は、その上面が枠部材４３の被取付面対向面４４と略面一となり、この状態で取付具４７を鍔部１４側に回転させることで、枠部材４３が取り付けられる。
【００２８】
第２の光源４１は、ＬＥＤ素子４１１により構成されている。ＬＥＤ素子４１１は、帯状のフレキシブル基板４１２上に複数実装されており、このフレキシブル基板４１２を光源取付片４５の外側面に固定することで取り付けられる。本実施形態のＬＥＤ素子４１１は、光軸が水平方向に臨んでおり、光源取付片４５の外側面全周に亙って一定の間隔ごとに取り付けられている。
【００２９】
第２の光源４１は、図２に示されるように、上記ソケット２を介して給電される。このソケット２は、図４に示されるように、器具本体１１の側面から内部に向けて突出した円柱形状となっており、中央部に第１の光源１２が接続される第１の給電部２１が設けられている。さらにソケット２には、第１の給電部２１に隣接して、第２の光源４１に電力を供給する第２の給電部２２が設けられている。この第２の給電部２２は、フレキシブル基板８に設けられた端子刃８３を挟持固定する２つの差し込みスリット２３により構成されている。そして第２の光源４１は、器具本体１１の内側面に沿うフレキシブル基板８を介して、上記ソケット２の第２の給電部２２と接続される。このフレキシブル基板８は、図４（ｂ）に示されるように、長尺な帯形状となっており、一端にソケット側接続部８１を有すると共に、他端に光源側接続部８２を有している。フレキシブル基板８には、ソケット側接続部８１及び光源側接続部８２にそれぞれ上述の端子刃８３が突設されており、この両端の端子刃８３同士を電気的に繋ぐ配線パターン８４が形成されている。
【００３０】
プリズムレンズ４２は、図２に示されるように、外側の面が出射面４２１となっている。出射面４２１は、第２の光源４１から発せられた光が天井９１側に向けて屈折するような傾斜面にて構成されている。プリズムレンズ４２の内側には光源収容部４２２が形成されており、この光源収容部４２２内に第２の光源４１が収容される。この光源収容部４２２の奥面が、光源４１を覆う曲面状をした入射面４２３となっている。この入射面４２３に覆われた第２の光源４１を発光させると、その光は、入射面４２３から入射すると共に傾斜した出射面４２１で屈折して、その大部分が天井９１側に向けて出射される。
【００３１】
上記構成の副照明部４は、そのオン・オフが主照明部１のオン・オフとは別に行なわれ、主照明部１から独立している。副照明部４をオン・オフするには、壁に設けられたスイッチやリモコンによるスイッチが好適に用いられる。
【００３２】
このような構成の照明装置Ａを天井９１に取り付け、主照明部１による照明とは別に副照明部４により照明を行なうと、主照明部１では照らすことのできなかった部分を、副照明部４により照らすことが可能となる。つまり本実施形態の照明装置Ａによれば、従来の照明装置Ａよりも照射範囲を拡大することができる。
【００３３】
本実施形態の照明装置Ａは、副照明部４が主照明部１の光源である第１の光源１２とは異なる第２の光源４１を有しているので、主照明部１とは異なる光の色で副照明部４を発光させたり、主照明部１を消灯した状態で副照明部４を発光させたりできる。これにより、演出照明を行なうことも可能である。
【００３４】
また、副照明部４の光軸７１がこの副照明部４から側方に離れるほど天井９１に向かっているため、副照明部４からの光により天井９１の前面を照らす。これにより、空間の明るさ感を向上させることができる。また、明るさ感を保ったまま電力を節約することも可能なので、省エネルギー化を図ることも可能である。
【００３５】
さらに、副照明部４の光軸７１の角度がプリズムレンズ４２により設定されるので、光軸７１の角度を設定するに当たって、プリズムレンズ４２を設置するだけでよく、光軸７１の設定が容易にできる。
【００３６】
また、副照明部４が器具本体１１とは別部材となっているため、既設の照明装置Ａを用いて後付け的に副照明部４を装着して構成できるという利点を有する。
【００３７】
さらに、第２の光源４１がＬＥＤ素子４１１により形成されているため、照明装置Ａ全体の小型化を図ることができ、また省エネルギー化、発熱の抑制なども図ることができる。
【００３８】
また、上記のようにフレキシブル基板８によって副照明部４が給電されているため、配線を簡素化することができて、施工に要する手間を省略することができる。
【００３９】
なお、本実施形態の副照明部４は器具本体１１の外周部の全周に設けられていたが、本発明の副照明部４は、後述の第２の実施形態のように、器具本体１１の外周部の一部に設けられたものであってもよい。また、本実施形態の副照明部４は器具本体１１に対して移動しないように固定されていたが、本発明の副照明部４は、後述の第２の実施形態のように、器具本体１１の外周部を移動可能としたものであってもよい。
【００４０】
また、図５のように、ソケット２の第１の給電部２１に、第１の光源１２を接続するためのアダプタ２４を接続したうえで、このアダプタ２４に第１の光源１２を接続するようにしてもよい。このようにすると、図５のように、フレキシブル基板８をアダプタ２４とソケット２とで挟持して設置することができる。この結果、フレキシブル基板８をより安定的に接続することができ、フレキシブル基板８が不意にはずれてしまうのを防止できる。
【００４１】
次に、第２の実施形態について図６，７に基づいて説明する。なお、本実施形態は第１の実施形態と大部分において同じであるため、同じ部分においては同符号を付して説明を省略し、主に異なる部分について説明する。
【００４２】
本実施形態の照明装置Ａは、第１の実施形態と同様に主照明部１と副照明部４とを有しているが、副照明部４の光軸７１が、副照明部４から側方に離れるほど前方となる位置に向かっている点で、主に第１の実施形態とは異なっている。本実施形態は、この副照明部４が鉛直な壁面を照らすようになっており、主照明部１による直接照明と、副照明部４による間接照明とを切り替えて使用する。以下詳述する。
【００４３】
副照明部４は、器具本体１１の外周部に設けられており、第２の光源４１と、透明レンズカバー４９と、これらを固定する枠部材４３とを備える。また、この副照明部４は、器具本体１１の外周部の周方向の全周のうちの一部に設けられている。
【００４４】
枠部材４３は、器具本体１１とは別部材で構成されており、器具本体１１の鍔部１４に着脱自在に取り付けられると共に、器具本体１１の外周部に沿って移動可能に構成されている。枠部材４３は、図７に示されるように、平面視円環状をしており、被取付面対向面４４と、この被取付面対向面４４から下方に延設された光源取付片４５とを有している。被取付面対向面４４の内周縁部には内方に向けて突出した内突出片５０が設けられており、この内突出片５０は鍔部１４と上下に重なり合うようになっている。この内突出片５０には鍔部１４側（下方）に向けて円環状の突条５１が設けられており、この突条５１は、器具本体１１の鍔部１４の上面に円環状に設けられた凹溝部１８に摺動自在に嵌まり込む。これにより、副照明部４は、器具本体１１の照射開口１３の外周に沿って、照射開口１３の中央を中心とした回転移動ができる。なお、本実施形態の照明装置Ａでは、この内突出片５０と突条５１と凹溝部１８とで、回転機構部を構成している。
【００４５】
枠部材４３の光源取付片４５は、図７（ｂ）に示されるように、円環状の被取付面対向面４４の略半周部分に形成されており、下方ほど枠部材４３の中央側に位置するように傾斜している。この光源取付片４５には、複数のＬＥＤ素子４１１（第２の光源４１）が実装されたフレキシブル基板４１２が固定され、さらにその外から透明レンズカバー４９が取り付けられる。光源取付片４５が傾斜しているため、この第２の光源４１の光軸７１は、この第２の光源４１から側方に離れるほど前方となる位置に向かっている。
【００４６】
なお、本実施形態における第２の光源４１への給電は、図７（ａ）に示されるように、被取付面対向面４４に設けられた貫通孔４４１に配線を通して行なわれる。この配線は、図６に示されるように、天板１５に設けられた給電部１７から器具本体１１の外側・貫通孔４４１の順に通されている。
【００４７】
このような構成の照明装置Ａを、天井９１における壁面近傍の端部分に取り付けると、主照明部１では直接照明を行ないつつ、副照明部４では壁面を照らした間接照明を行なうことができる。
【００４８】
しかも、副照明部４が外周部の全周のうちその一部にのみ設けられているため、副照明部４を壁面に対向させると共に、副照明部４の設けられていない部分を部屋の中央側に臨ませることができる。この照明装置Ａによれば、壁面を照らす間接照明を行ないつつ、副照明部４の光が部屋にいる人に直接照射するのを防ぐことができ、ランプを直視することによるグレアを防止できる。
【００４９】
また、本実施形態の照明装置Ａによれば、就寝前と就寝時とで無駄のない適切な照明を行なうことができる。例えば就寝前には、主照明部１による照明を点灯すると共に、副照明部４を消灯し、就寝時には、主照明部１による照明を消灯すると共に、副照明部４による間接照明に切り替えることが考えられる。
【００５０】
しかも、本実施形態の照明装置Ａは、副照明部４が器具本体１１の外周部に沿って移動可能に構成されているため、副照明部４による照明の照射方向を容易に調整・設定することができる。
【００５１】
なお、本実施形態の副照明部４の光軸７１の向きは、光源取付片４５を傾斜させることで形成されていたが、第１の実施形態と同様に、透光性のプリズムレンズ４２を用いたものであってもよい。
【００５２】
次に、第３の実施形態について図８に基づいて説明する。なお、本実施形態は第１の実施形態と大部分において同じであるため、同じ部分においては同符号を付して説明を省略し、主に異なる部分について説明する。
【００５３】
本実施形態の照明装置Ａは、第１の実施形態と同様に主照明部１と副照明部４とを有しているが、副照明部４が天井９１に取り付けられたアダプタプレート６にて構成されている点で、第１の実施形態とは異なっている。
【００５４】
副照明部４は、第２の光源４１と、この第２の光源４１から発せられる光の経路上に配置された透光性のプリズムレンズ４２と、これらを固定する枠部材４３とを有し、この枠部材４３がアダプタプレート６により構成されている。アダプタプレート６（リニューアルプレート）は、天井９１に設けられた器具本体１１を挿通するための挿通孔９２の開口周縁を覆うことで、挿通孔９２の開口径を小さくするものである。このアダプタプレート６は、図８（ｂ）に示されるように、蓋体部６１と、取付枠部６２とを備えている。蓋体部６１は、平面視円環状をしており、外周の径が天井９１に設けられた挿通孔９２よりも大径となっており、中央に設けられた中央開口６３の径が挿通孔９２よりも小径となっている。そしてこの中央開口６３が器具本体１１の新たな挿通孔となる。蓋体部６１は、中央開口６３の外周部を囲むようにして光源取付片４５が突設されており、この光源取付片４５には、第１の実施形態と同様にして、第２の光源４１と透光性のプリズムレンズ４２が取り付けられる。蓋体部６１の後面側には取付枠部６２が固定して設けられており、この取付枠部６２には天井９１後面に係止される係止爪６４が設けられている。この係止爪６４は、側方に突没自在に設けられており、突出方向にばねにより付勢されている。係止爪６４は、取付枠部６２を下方から天井９１の挿通孔９２に挿入していくと、没入して挿入可能状態となり、そのまま挿入を続け所定の位置をこえると、突出して係止可能状態となる。
【００５５】
天井９１の後面には、第２の光源４１に電力を供給するための電源部１７が設けられている。この電源部１７と第２の光源４１とは電気配線を介して接続されている。この電気配線は、アダプタプレート６に設けられた配線用孔６５を通すようにして配設される。
【００５６】
器具本体１１は、アダプタプレート６の中央開口６３に挿通され、この中央開口６３の前面周縁に器具本体１１の鍔部１４が当接した状態で取り付けられる。
【００５７】
このように本実施形態の照明装置Ａは、副照明部４がアダプタプレート６にて構成されており、その他の部分は従来のものと同じ構成なので、既存の照明装置Ａを用いることができる。そのうえ、副照明部４が従来通りのアダプタプレート６の設置方法で設置できるため、その設置も容易である。
【００５８】
次に、第４の実施形態について図９に基づいて説明する。なお、本実施形態は第１の実施形態と大部分において同じであるため、同じ部分においては同符号を付して説明を省略し、主に異なる部分について説明する。
【００５９】
本実施形態の照明装置Ａは、副照明部４が器具本体１１とは別部材で構成された例である。第１の実施形態の副照明部４は器具本体１１に取り付けられていたが、本実施形態の副照明部４は天井に直接取り付けられている点で異なる。
【００６０】
本実施形態の副照明部４の枠部材４３は、図９に示されるように、ネジＢにより天井９１に取り付けられる。枠部材４３の後面にはコネクタ６６が設けられており、このコネクタ６６は副照明部４のＬＥＤ素子４１１（第２の光源４１）と電気的に接続している。
【００６１】
天井９１の後面には、第２の光源４１に電力を供給するための電源部（図示せず；図８参照）が設けられており、天井９１には電源部に接続された配線と前記コネクタ６６を通すための配線挿通孔９３が設けられている。そして、この配線挿通孔９３からこの電源部に接続された配線が引き出されている。
【００６２】
本実施形態の副照明部４は、以下のようにして取り付けられる。プリズムレンズ４２が取付られた枠部材４３を、配線挿通孔９３から引き出された配線と接続する。この状態で枠部材４３を天井９１に当接させ、天井９１とネジＢにて固着する。なおこのとき、コネクタ６６は配線挿通孔９３内に収容される。
【００６３】
なお特に図示はしないが、第３の実施形態及び第４の実施形態は、光源取付片４５を中央開口６３周りに移動可能に構成してもよい。また、第２の実施形態のように、光源取付片４５を前方又は後方に向けて傾斜させてプリズムレンズ４２を省略することも当然可能である。
【００６４】
以上、本発明の照明装置Ａを、第１の実施形態乃至第４の実施形態に基づいて説明したが、本発明の照明装置Ａは、天井９１に限らず、鉛直な壁面や、天井９１と鉛直な壁との間の傾斜壁面等の被取付面９においても取付可能である。
【００６５】
また、上述した実施形態の照明装置Ａはいずれもダウンライトであったが、本発明の照明装置Ａは、図１０に示すような、ダウンシーリングを主照明部１とした照明装置Ａであってもよいし、図１１に示すような、蛍光灯枠に副照明部４を取り付けたものであってもよい。
【符号の説明】
【００６６】
１      主照明部
１１    器具本体
１２    第１の光源
２      ソケット
２１    第１の給電部
２２    第２の給電部
４      副照明部
４１    第２の光源
４１１  ＬＥＤ素子
４２    プリズムレンズ
６      アダプタプレート
７０    主照明部の光軸
７１    副照明部の光軸
８      フレキシブル基板
９      被取付面
Ａ      照明装置
【図１】
0005491896.tif 000002
【図２】
0005491896.tif 000003
【図３】
0005491896.tif 000004
【図４】
0005491896.tif 000005
【図５】
0005491896.tif 000006
【図６】
0005491896.tif 000007
【図７】
0005491896.tif 000008
【図８】
0005491896.tif 000009
【図９】
0005491896.tif 000010
【図１０】
0005491896.tif 000011
【図１１】
0005491896.tif 000012